(57)【特許請求の範囲】
【請求項１】
係止フランジ部を有する容器類を搬送できるようにした搬送装置であって、所定間隔に対峙するよう配されると共に、その対向面となる側面部分夫々に装着凹部を設けてなる一対のレールと、この一対のレールの装着凹部に夫々摺動自在に装着される一対のチェーン本体とを備え、チェーン本体は、複数のチェーン単体を略鉛直方向に配される連結ピンを介して連結することで構成され、チェーン単体は、レールの側面外方に配される正面板と、この正面板の背面がわに連設されると共に、レールの装着凹部内に配される連結体とからなり、正面板は、その上端部に支持用突片が水平側方に突設され、その背面がわがレールの側面部分を摺動するように形成され、連結体の背面がわ上下には、係止突片を上下方向に夫々突設し、この上下の係止突片が、装着凹部奥方上下に設けた上下係止凹部に係止されるよう構成すると共に、支持用突片が係止フランジ部に当接して容器類を吊下げ状態或いは倒立状態に支持できるよう構成し、正面板下部と下方の係止突片との間部分に摺動下面を形成し、正面板上部と上方の係止突片との間部分に摺動上面を形成し、これら摺動上面と摺動下面とを平行に形成すると共に、水平となるように形成し、少なくとも、摺動下面がレールに摺接するように構成し、前記チェーン単体は、略縦長矩形板状の正面板の背面に、進行方向前方となる前方連結部と進行方向後方となる後方連結部とを備えた連結体を連設して構成され、前方連結部は、進行方向前方にあるチェーン単体の後方連結部を上下から挟めるように形成され、一方、後方連結部は、進行方向後方にあるチェーン単体の前方連結部で上下から挟まれるように形成され、これら前方連結部、後方連結部に夫々穿設したピン挿通孔に連結ピンを貫通せしめることで、隣設するチェーン単体相互が、水平方向に於いて揺動できるように構成し、後方連結部のピン挿通孔は、連結ピンが僅かに遊挿されるように形成され、隣設するチェーン単体相互が、鉛直方向に於いても僅かに揺動できるように構成し、正面板の進行方向後方端縁を略く字状に傾斜させて形成し、前記レールは、レール保持体を介して上下に分割できるように形成したことを特徴とする係止フランジ部を有する容器類の搬送装置。
【発明の詳細な説明】
【０００１】
【発明の属する技術分野】
本発明は、例えば、ペットボトルの如く口部の下方に係止フランジ部を有する容器類を搬送できるようにした搬送装置であって、特に、容器類を吊下げ状態或いは倒立状態に支持して、確実に、スムーズに、且つ安定的に搬送できるように工夫した係止フランジ部を有する容器類の搬送装置に関するものである。
【０００２】
【従来の技術】
従来、例えば、ペットボトルの搬送装置にあっては、所定間隔離れた一対のレールの上に、チェーン単体を水平方向に配される連結ピンで連結してなる一対のチェーン本体を夫々配し、しかも、駆動回転軸が水平方向に配されるスプロケットに係合せしめて、チェーン本体を輪転駆動せしめられるようにし、そして、一対のチェーン本体の上面に、係止フランジ部下面を当接させて容器類を吊下げ状態に支持できるようにしたものが提供されている。
【０００３】
【発明が解決しようとする課題】
しかしながら、前述の如き搬送装置にあっては、チェーン本体の最小屈曲半径を小さく設定し難く、特に、省スペース搬送で要求されるようなチェーン本体の最小屈曲半径を達成できない難点等があった。
【０００４】
しかも、前述の如き搬送装置にあっては、レールに対してチェーン本体は左右水平方向に遊びが生じるように構成されたものが多く、レールに沿って移動する一対のチェーン本体の間隔が常に一定となるように工夫しなければならない課題があった。すなわち、それ程大きくない係止フランジ部を一対のチェーン本体で受けるようにして容器類を吊下げ状態或いは倒立状態に支持しながら搬送する場合、レールに沿って移動する一対のチェーン本体の間隔が常に一定でないと、容器類を確実に、スムーズに、且つ安定的に搬送することができなくなる課題があった。
【０００５】
【課題を解決するための手段】
そこで、本発明は、前述の如き難点等を解消し、容器類を吊下げ状態或いは倒立状態に支持しながら確実に、スムーズに、且つ安定的に搬送でき、また、チェーン本体の最小屈曲半径を小さく設定できるようにして、省スペース搬送が行い易くなるようにし、更に、レールに沿って移動する一対のチェーン本体の間隔が常に一定となるように構成でき、しかも、取扱い容易で、構成簡素で、耐久性に優れ、故障し難く、低廉な搬送装置を提供できるようにすべく創出されたものである。
【０００６】
しかして、請求項１記載の搬送装置にあっては、係止フランジ部を有する容器類Ｄを搬送できるようにした搬送装置であって、所定間隔に対峙するよう配されると共に、その対向面となる側面部分夫々に装着凹部２０を設けてなる一対のレールＢと、この一対のレールＢの装着凹部２０に夫々摺動自在に装着される一対のチェーン本体Ａとを備え、チェーン本体Ａは、複数のチェーン単体１を略鉛直方向に配される連結ピン１５を介して連結することで構成され、チェーン単体１は、レールＢの側面外方に配される正面板１０と、この正面板１０の背面がわに連設されると共に、レールＢの装着凹部２０内に配される連結体２とからなり、正面板１０は、その上端部に支持用突片１１が水平側方に突設され、その背面がわがレールＢの側面部分を摺動するように形成され、連結体２の背面がわ上下には、係止突片９を上下方向に夫々突設し、この上下の係止突片９が、装着凹部２０奥方上下に設けた上下係止凹部２１、２２に係止されるよう構成すると共に、支持用突片１１が係止フランジ部に当接して容器類Ｄを吊下げ状態或いは倒立状態に支持できるよう構成し、正面板１０下部と下方の係止突片９との間部分に摺動下面７を形成し、正面板１０上部と上方の係止突片９との間部分に摺動上面８を形成し、これら摺動上面８と摺動下面７とを平行に形成すると共に、水平となるように形成し、少なくとも、摺動下面７がレールＢに摺接するように構成し、前記チェーン単体１は、略縦長矩形板状の正面板１０の背面に、進行方向前方となる前方連結部３と進行方向後方となる後方連結部４とを備えた連結体２を連設して構成され、前方連結部３は、進行方向前方にあるチェーン単体１の後方連結部４を上下から挟めるように形成され、一方、後方連結部４は、進行方向後方にあるチェーン単体１の前方連結部３で上下から挟まれるように形成され、これら前方連結部３、後方連結部４に夫々穿設したピン挿通孔５、６に連結ピン１５を貫通せしめることで、隣設するチェーン単体１相互が、水平方向に於いて揺動できるように構成し、後方連結部４のピン挿通孔６は、連結ピン１５が僅かに遊挿されるように形成され、隣設するチェーン単体１相互が、鉛直方向に於いても僅かに揺動できるように構成し、正面板１０の進行方向後方端縁を略く字状に傾斜させて形成し、前記レールＢは、レール保持体Ｃを介して上下に分割できるように形成する手段を採用した。
【０００７】
【発明の実施の形態】
以下、本発明を図示例に基づいて説明する。
本発明は、例えば、ペットボトルの如く口部の下方に係止フランジ部（係止顎部や係止段部等を含む）を有する容器類Ｄ（被搬送物）を、その係止フランジ部を利用して吊下げ状態或いは倒立状態に搬送できるようにした搬送装置である。
【０００８】
そして、この搬送装置は、所定間隔だけ隔てた状態で水平面内に於いて対峙するよう配されると共に、その対向面となる側面部分夫々に装着凹部２０を設けてなる一対のレールＢと、この一対のレールＢの装着凹部２０に夫々摺動自在に装着される一対のチェーン本体Ａとを備えたもので、レールＢはレール保持体Ｃによって支持されるように構成したものである。
【０００９】
それから、チェーン本体Ａは、複数のチェーン単体１を略鉛直方向に配される連結ピン１５を介して連結することで構成され、チェーン単体１は、レールＢの側面外方に配される正面板１０と、この正面板１０の背面がわに連設されると共に、レールＢの装着凹部２０内に配される連結体２とからなっている。
【００１０】
更に、正面板１０の上端部には、支持用突片１１を水平側方に突設し、連結体２の背面がわ上下には、係止突片９を上下方向に夫々突設してあり、この上下の係止突片９が、装着凹部２０奥方上下に設けた上下係止凹部２１、２２に係止されるよう構成すると共に、支持用突片１１が係止フランジ部に当接して容器類Ｄを吊下げ状態或いは倒立状態に支持できるよう構成されている。
【００１１】
すなわち、連結体２がレールＢの装着凹部２０内を摺動すると共に、正面板１０の背面がわ上部及び下部がレールＢの側面部分に沿って移動（摺動）し、係止突片９によってチェーン本体ＡがレールＢの装着凹部２０から逸脱（或いは、装着凹部２０の開放がわに移動）せず、且つ、一対のチェーン本体Ａの正面板１０の間隔が広がることもなく常に一定となるように構成されている。尚、正面板１０の背面がわ下部は、必ずしもレールＢの側面部分を摺動しなくても良い。
【００１２】
ところで、本発明の搬送装置にあっては、一対のチェーン本体Ａは、水平回転するスプロケットに夫々係合せしめられて、略水平面内（若干の傾き等があっても良い）で移動するように夫々構成され、一対のチェーン本体Ａが所定間隔で相互に平行に配されている部分に於いて、容器類Ｄを搬送できるように構成されている。
【００１３】
それから、チェーン本体Ａのチェーン単体１は、正面板１０下部と下方の係止突片９との間部分全体が摺動下面７となり、正面板１０上部と上方の係止突片９との間部分全体が摺動上面８となり、これら摺動上面８と摺動下面７とは、平行に形成されると共に、水平となるように形成されている。また、少なくとも、摺動下面７がレールＢに摺接するよう構成されている。
【００１４】
更に、チェーン単体１は、適宜合成樹脂材や、適宜金属材や、適宜複合材等によって構成され、略縦長矩形板状の正面板１０の背面に、進行方向前方となる前方連結部３と進行方向後方となる後方連結部４とを備えた連結体２を連設して構成されている。そして、前方連結部３は、進行方向前方にあるチェーン単体１の後方連結部４を上下から挟めるように形成され、一方、後方連結部４は、進行方向後方にあるチェーン単体１の前方連結部３で上下から挟まれるように形成され、これら前方連結部３、後方連結部４に夫々穿設したピン挿通孔５、６に連結ピン１５を貫通せしめることで、隣設するチェーン単体１相互が、水平方向に於いて揺動できるように構成されている。尚、後方連結部４のピン挿通孔６は、連結ピン１５が僅かに遊挿されるように形成されており、隣設するチェーン単体１相互が、鉛直方向に於いても僅かに揺動できるように構成されている。すなわち、チェーン本体Ａが緩やかな上昇、下降ラインの走行ができるよう構成されている。また、このとき、隣設する正面板１０相互が干渉しないように、正面板１０の進行方向後方端縁を略く字状に傾斜させてある（図２参照）。
【００１５】
上下の係止突片９は、略矩形板状を呈し、連結体２の前方連結部３の背面がわ端部に上下方向に向って突設されており、装着凹部２０奥方上下の上下係止凹部２１、２２夫々に係止された状態のままスムーズに摺動できるよう構成されている。尚、係止突片９は、上下に設けずに、どちらか一方だけであっても良い。
また、係止突片９が下係止凹部２１、上係止凹部２２を摺動することで（或いは、正面板１０の背面がわがレールＢの側面部分を摺動することで）、チェーン単体１夫々がレールＢの装着凹部２０に対してその開放がわ、或いは、その奥方がわへの移動が規制されるようになり、チェーン本体ＡがレールＢに沿ってガタつくことなく移動でき、一対のチェーン本体Ａの間隔も常に一定となるよう形成されている。
【００１６】
支持用突片１１は、例えば、略矩形板状を呈し、容器類Ｄの係止フランジ部が安定的に載置されるように形成されている。尚、支持用突片１１は、容器類Ｄの形状、寸法や、係止フランジ部の形状、寸法や、連結ピン１５回りのチェーン単体１の揺動範囲等によって、その形状や、寸法や、配設位置等は適宜自由に設定できるものである。
【００１７】
連結ピン１５は、略円柱状を呈し、適宜金属材や、適宜合成樹脂材や、その他適宜複合材等によって構成され、後方連結部４のピン挿通孔６には遊挿され、前方連結部３のピン挿通孔５には、不意の外力や振動等によって簡単に抜脱されないように圧入状態で挿入されるように形成してある。
【００１８】
レールＢは、適宜金属材や、適宜合成樹脂材や、その他適宜複合材等によって構成され、その側端部分は縦断面略角Ｃ字状に形成されている。尚、レールＢは、図４、図５に示すようにレール保持体Ｃを介して上下に分割できるように形成しておき、チェーン本体Ａの装着や取外しが比較的簡単に行えるように構成したものであっても良い。
【００１９】
また、レールＢの装着凹部２０にあっては、開口寄りに配した平坦下面部分に摺動下面７が摺接し、開口寄りに配した平坦上面部分に摺動上面８が摺接（或いは、対峙）し、この平坦下面部分と平坦上面部分は、平行に形成されると共に、水平となるように形成されている。すなわち、比較的大きな負荷がチェーン本体Ａのチェーン単体１に加えられた場合は、摺動下面７と、これに摺接するレールＢの平坦下面部分とで、その殆どの負荷を安定的に受けられるように形成してある。
【００２０】
レール保持体Ｃは、レールＢを所定空間に確実に且つ安定的に支持できるようにしたもので、レールＢにかかる負荷等にも耐えられるように構成されたものが適宜採用される。
【００２１】
ところで、搬送装置の具体的構成、チェーン本体Ａの具体的構成、形状、寸法、材質、チェーン単体１の具体的構成、形状、寸法、材質、連結体２の具体的構成、形状、寸法、材質、前方連結部３の具体的構成、形状、寸法、材質、後方連結部４の具体的構成、形状、寸法、材質、ピン挿通孔５、６の具体的構成、形状、寸法、摺動下面７の具体的構成、形状、寸法、摺動上面８の具体的構成、形状、寸法、係止突片９の具体的構成、形状、寸法、材質、配設位置、数、正面板１０の具体的構成、形状、寸法、材質、支持用突片１１の具体的構成、形状、寸法、材質、配設位置、連結ピン１５の具体的構成、形状、寸法、材質、レールＢの具体的構成、形状、寸法、材質、装着凹部２０の具体的構成、形状、寸法、配設位置、下係止凹部２１の具体的構成、形状、寸法、配設位置、上係止凹部２２の具体的構成、形状、寸法、配設位置、レール保持体Ｃの具体的構成、形状、寸法、材質等は、図示例のもの等に限定されることなく適宜自由に設定、変更できるものである。
【００２２】
本発明の搬送装置は、前述の如く構成されており、次にその使用例について説明すると、先ず、一対のレールＢを水平面内に於いて平行となるように支持すると共に、一対のレールＢ夫々にチェーン本体Ａを装着する。このとき、チェーン本体Ａは、連結体２が装着凹部２０内に収まり、正面板１０がレールＢの側面外方に配されるようになり、対向する一対の正面板１０の間隔が常に一定となるように形成される。尚、チェーン本体Ａは、例えば、無端環状を呈し、レールＢ夫々の長手方向両端部分に配した水平回転するスプロケットに巻き掛けられるようになり、スプロケットの駆動回転によって、一対のレールＢの対向部分にあるチェーン本体ＡがレールＢの長手方向同一向きに移動して、容器類Ｄを搬送できるようになる。ところで、容器類Ｄは、図４に示すように倒立状態で支持して搬送したり、図５に示すように吊下げ状態で支持して搬送したりすることができ、吊下げ状態で支持して搬送する場合は、その搬送中に容器類Ｄの口部に、例えば、レーザーや紫外線等を照射して、傷等の検査や口部の硬化等を図れるようにすることも可能となる。また、本発明の搬送装置は、係止フランジ部を備えたものであれば、容器類Ｄ以外の被搬送物にも利用できるものである。
【００２３】
【発明の効果】
従って、請求項１記載の搬送装置は、係止フランジ部を有する容器類Ｄを搬送できるようにした搬送装置であって、所定間隔に対峙するよう配されると共に、その対向面となる側面部分夫々に装着凹部２０を設けてなる一対のレールＢと、この一対のレールＢの装着凹部２０に夫々摺動自在に装着される一対のチェーン本体Ａとを備え、チェーン本体Ａは、複数のチェーン単体１を略鉛直方向に配される連結ピン１５を介して連結することで構成され、チェーン単体１は、レールＢの側面外方に配される正面板１０と、この正面板１０の背面がわに連設されると共に、レールＢの装着凹部２０内に配される連結体２とからなり、正面板１０は、その上端部に支持用突片１１が水平側方に突設され、その背面がわがレールＢの側面部分を摺動するように形成され、連結体２の背面がわ上下には、係止突片９を上下方向に夫々突設し、この上下の係止突片９が、装着凹部２０奥方上下に設けた上下係止凹部２１、２２に係止されるよう構成すると共に、支持用突片１１が係止フランジ部に当接して容器類Ｄを吊下げ状態或いは倒立状態に支持できるよう構成し、正面板１０下部と下方の係止突片９との間部分に摺動下面７を形成し、正面板１０上部と上方の係止突片９との間部分に摺動上面８を形成し、これら摺動上面８と摺動下面７とを平行に形成すると共に、水平となるように形成し、少なくとも、摺動下面７がレールＢに摺接するように構成し、前記チェーン単体１は、略縦長矩形板状の正面板１０の背面に、進行方向前方となる前方連結部３と進行方向後方となる後方連結部４とを備えた連結体２を連設して構成され、前方連結部３は、進行方向前方にあるチェーン単体１の後方連結部４を上下から挟めるように形成され、一方、後方連結部４は、進行方向後方にあるチェーン単体１の前方連結部３で上下から挟まれるように形成され、これら前方連結部３、後方連結部４に夫々穿設したピン挿通孔５、６に連結ピン１５を貫通せしめることで、隣設するチェーン単体１相互が、水平方向に於いて揺動できるように構成し、後方連結部４のピン挿通孔６は、連結ピン１５が僅かに遊挿されるように形成され、隣設するチェーン単体１相互が、鉛直方向に於いても僅かに揺動できるように構成し、正面板１０の進行方向後方端縁を略く字状に傾斜させて形成し、前記レールＢは、レール保持体Ｃを介して上下に分割できるように形成したので、例えば、ペットボトルの如く口部の下方に係止フランジ部を有する容器類Ｄを、支持用突片１１に係止フランジ部を載置せしめた吊下げ状態或いは倒立状態に支持しながら搬送できるようになる。更に、レールＢに沿って移動する一対のチェーン本体Ａの間隔が常に一定となり、容器類Ｄを確実に、スムーズに、且つ安定的に搬送することができる。しかも、取扱い容易で、構成が簡素で、耐久性に優れ、故障し難く、量産に適し、低廉に提供できるようになり、経済的な搬送装置となる。
【００２４】
更に、チェーン本体Ａは、複数のチェーン単体１を略鉛直方向に配される連結ピン１５を介して連結することで構成され、チェーン単体１は、レールＢの側面外方に配される正面板１０と、この正面板１０の背面がわに連設されると共に、レールＢの装着凹部２０内に配される連結体２とからなるので、チェーン単体１相互が連結ピン１５を介して揺動するときのチェーン本体Ａの最小屈曲半径を小さく設定できるようになり、多様な省スペース搬送を実施できる搬送装置となる。すなわち、レールＢ自体の幅や、搬送装置自体を小さく且つコンパクトに構成できるようになる。
【００２５】
特に、連結体２の背面がわ上下には、係止突片９を上下方向に夫々突設し、この上下の係止突片９が、装着凹部２０奥方上下に設けた上下係止凹部２１、２２に係止されるよう構成するので、チェーン単体１夫々がレールＢの装着凹部２０に対してその開放がわへ移動するのを確実に規制できるようになり、チェーン本体ＡがレールＢに沿ってガタつくことなく移動できるようになると共に、一対のチェーン本体Ａの間隔が常に一定となる。ひいては、比較的重量のある容器類Ｄの荷重が、支持用突片１１の先端部分に加えられても、チェーン単体１は、傾いたり、装着凹部２０の開放がわに移動したりせず、容器類Ｄを確実に、スムーズに、且つ安定的に搬送できるようになる。
しかも、正面板１０は、その背面がわがレールＢの側面部分を摺動するように形成されるので、チェーン単体１夫々がレールＢの装着凹部２０に対してその奥方がわへの移動が規制できるようになり、チェーン本体ＡがレールＢに沿ってガタつくことなく移動でき、一対のチェーン本体Ａの間隔も常に一定となる。
【００２６】
加えて、正面板１０下部と下方の係止突片９との間部分に摺動下面７を形成し、正面板１０上部と上方の係止突片９との間部分に摺動上面８を形成し、これら摺動上面８と摺動下面７とを平行に形成すると共に、水平となるように形成し、少なくとも、摺動下面７がレールＢに摺接するように構成したので、比較的大きな負荷がチェーン本体Ａのチェーン単体１に加えられた場合でも、摺動下面７とこれに摺接するレールＢの平坦下面部分とで、その殆どの負荷を安定的に受けられるようになり、チェーン本体ＡがレールＢをより安定的に摺動できるようになると共に、比較的重量のある容器類Ｄもスムーズに搬送できるようになる。
【００２７】
また、前記チェーン単体１は、略縦長矩形板状の正面板１０の背面に、進行方向前方となる前方連結部３と進行方向後方となる後方連結部４とを備えた連結体２を連設して構成され、前方連結部３は、進行方向前方にあるチェーン単体１の後方連結部４を上下から挟めるように形成され、一方、後方連結部４は、進行方向後方にあるチェーン単体１の前方連結部３で上下から挟まれるように形成され、これら前方連結部３、後方連結部４に夫々穿設したピン挿通孔５、６に連結ピン１５を貫通せしめることで、隣設するチェーン単体１相互が、水平方向に於いて揺動できるように構成し、後方連結部４のピン挿通孔６は、連結ピン１５が僅かに遊挿されるように形成され、隣設するチェーン単体１相互が、鉛直方向に於いても僅かに揺動できるように構成し、正面板１０の進行方向後方端縁を略く字状に傾斜させて形成したので、隣設するチェーン単体１相互が、水平方向に於いて揺動できるようになり、更に、隣設するチェーン単体１相互が、鉛直方向に於いて僅かに揺動できるようになり、チェーン本体Ａは、緩やかな上昇、下降ラインの走行が行えるようになる。しかも、このとき、正面板１０の進行方向後方端縁を略く字状に傾斜させてあるため、隣設する正面板１０相互が干渉しないものとなる。
【００２８】
更に、前記レールＢは、レール保持体Ｃを介して上下に分割できるように形成したので、チェーン本体Ａの装着や取外しが比較的簡単に行えるようになる。
【図面の簡単な説明】
【図１】本発明の搬送装置のチェーン本体を例示する部分分解斜視図である。
【図２】本発明の搬送装置のチェーン本体を例示する部分正面図である。
【図３】本発明の搬送装置を例示する部分側面図である。
【図４】本発明の搬送装置の使用例を示す一部切欠側面図である。
【図５】本発明の搬送装置の他の使用例を示す一部切欠側面図である。
【符号の説明】
Ａ      チェーン本体
１      チェーン単体                ２      連結体
３      前方連結部                  ４      後方連結部
５      ピン挿通孔                  ６      ピン挿通孔
７      摺動下面                    ８      摺動上面
９      係止突片
１０    正面板                      １１    支持用突片
１５    連結ピン
Ｂ      レール
２０    装着凹部                    ２１    下係止凹部
２２    上係止凹部
Ｃ      レール保持体
Ｄ      容器類
【図１】
0003595981.tif 000002
【図２】
0003595981.tif 000003
【図３】
0003595981.tif 000004
【図４】
0003595981.tif 000005
【図５】
0003595981.tif 000006